(57)【特許請求の範囲】
【請求項１】
大略筒状をなし長手方向に延びる導体を内方に保持するとともに長手方向に連続する開口部を有した配線ダクトに取り付けられる配線ダクト用電気接続器であって、
配線ダクトの開口部から挿入される挿入部と、配線ダクトの長手方向に延びるとともに一端を固定端、他端を自由端として変位可能なように挿入部の内方に対向配設される少なくとも一対の板ばねと、板ばねの自由端側に設けられ板ばねの変位により挿入部の内外に出没して配線ダクトの導体に接離する接触突部と、配線ダクトの開口部の縁部に係脱するように挿入部に設けられる係止突部と、挿入部から連設されて配線ダクトの外部に露出して電気器具が電気的に接続される接続器具部と、導体への接触突部の接離を操作可能なように接続器具部に設けられる操作部と、操作部の操作に従動して板ばねを押圧する押圧子とを備えた配線ダクト用電気接続器において、
上記対向する板ばねの固定端を配線ダクトの長手方向において互いに反対側に位置させ、対向する板ばねの自由端を固定端よりも電気接続器の幅方向の中心側に位置させて各板ばねを配線ダクトの長手方向に対して傾けて成ることを特徴とする配線ダクト用電気接続器。
【発明の詳細な説明】
【０００１】
【発明の属する技術分野】
本発明は、配線ダクト用電気接続器に関し、詳しくは、器具の幅を広げることなく配線ダクトの導体に電気接続器の接触突部を電気的に安定して接触させることができるようにしようとする技術に係るものである。
【０００２】
【従来の技術】
従来、電気接続器Ａａは、図９に実開昭６４−７７８９号に示すように、大略筒状をなし長手方向に延びる導体１ａを内方に保持するとともに長手方向に連続する開口部２ａを有した配線ダクト３ａに取り付けられるものであり、このような電気接続器Ａａにおいては、配線ダクト３ａの開口部２ａから挿入される挿入部６ａと、配線ダクト３ａの長手方向に延びるとともに一端を固定端、他端を自由端として変位可能なように挿入部の内方に対向配設される一対の板ばね１７ａ、１７ａと、板ばね１７ａの自由端側に設けられ板ばね１７ａの変位により挿入部６ａの内外に出没して配線ダクト３ａの導体１ａに接離する接触突部４ａと、配線ダクト３ａの開口部２ａの縁部に係脱するように挿入部６ａに設けられる係止突部５ａと、挿入部６ａから連設されて配線ダクト３ａの外部に露出して電気器具が電気的に接続される接続器具部８ａと、導体１ａへの接触突部４ａの接離を操作可能なように接続器具部８ａに設けられる操作部と、操作部の操作に従動して板ばね１７ａを押圧する押圧子１９ａとを備えているものである。
【０００３】
【発明が解決しようとする課題】
ところで、従来の電気接続器Ａａにおいては、板ばね１７ａ、１７ａの自由端に取り付けられている接触突部４ａ、４ａは電気接続器Ａａの幅方向に対向して配置されていることから、個々の接触突部４ａの突出長さを充分に長くすることができず、その分、接触突部４ａの導体１ａへの接触圧が低くなり、電気的な接続の信頼性が低下するという問題があった。
【０００４】
本発明はこのような問題に鑑みてなされたものであり、器具の幅を広げることなく配線ダクトの導体に電気接続器の接触突部を電気的に安定して接触させることができる配線ダクト用電気接続器を提供することを課題とするものである。
【０００５】
【課題を解決するための手段】
請求項１においては、大略筒状をなし長手方向に延びる導体１を内方に保持するとともに長手方向に連続する開口部２を有した配線ダクト３に取り付けられる配線ダクト用電気接続器であって、配線ダクト３の開口部２から挿入される挿入部６と、配線ダクト３の長手方向に延びるとともに一端を固定端、他端を自由端として変位可能なように挿入部の内方に対向配設される少なくとも一対の板ばね１７、１７と、板ばね１７の自由端側に設けられ板ばね１７の変位により挿入部６の内外に出没して配線ダクト３の導体１に接離する接触突部４と、配線ダクト３の開口部２の縁部に係脱するように挿入部６に設けられる係止突部５と、挿入部６から連設されて配線ダクト３の外部に露出して電気器具が電気的に接続される接続器具部８と、導体１への接触突部４の接離を操作可能なように接続器具部８に設けられる操作部９と、操作部９の操作に従動して板ばね１７を押圧する押圧子１９とを備えた配線ダクト用電気接続器において、上記対向する板ばね１７、１７の固定端を配線ダクト３の長手方向において互いに反対側に位置させ、対向する板ばね１７、１７の自由端を固定端よりも電気接続器Ａの幅方向の中心側に位置させて各板ばね１７、１７を配線ダクト３の長手方向に対して傾けてあることを特徴とするものである。
【０００６】
このような構成によれば、板ばね１７の各々は、固定端が互いに反対側に位置するとともに自由端側が器具の幅方向の中心側に位置するように傾いていることから、板ばね１７の自由端に取り付けた接触突部４を器具の幅方向の中心側に没入させておくことができ、接触突部４の突出長さを長くすることができ、したがって、押圧子１９にて板ばね１７を押圧して接触突部４を充分に突出させることができ、接触突部４を配線ダクト３の導体１に安定的に接触させることができ、信頼性を高めることができる。
【０００７】
【発明の実施の形態】
以下、本発明の実施の形態を説明する。図１（ａ）は取り付け操作前の概略断面図、同図（ｂ）は取り付け操作後の概略断面図である。図２（ａ）は取り付け状態の概略断面図、同図（ｂ）は底面図である。図３（ａ）は取り外し操作状態の概略断面図、同図（ｂ）は底面図である。
【０００８】
配線ダクト３は、下方が開口した断面略コ字状で両下端にリップ片１０、１０が形成され、リップ片１０、１０間に開口部２が全長に形成された大略筒状のものである。配線ダクト３の左右の側壁１１、１１の内面の中間部に中間片１２、１２が全長に形成されていてリップ片１０と中間片１２とに間に係止溝１３を形成している。中間片１２には全長にわたって導体１を保持させていて導体１の側面が露出している。配線ダクト３は、例えば、天井にビス等にて取り付けられる。
【０００９】
電気接続器Ａは、例えば、シーリングローゼットのようなコンセントであり、その裏面側に挿入部６が突出して形成されている。挿入部６の幅Ｗ１は配線ダクト３の開口部２の幅Ｗ２よりもやや小にしていて、挿入部６を開口部２に挿入して電気接続器Ａを配線ダクト３の長手方向に移動させることができるようにしている。
【００１０】
挿入部６の内部には導電性を備えた一対の板ばね１７、１７が器具の幅方向に弾性変位自在に保持している。一対の板ばね１７、１７の固定端は配線ダクト３への取り付け状態において配線ダクト３の長さ方向において互いに反対側になるように保持している。板ばね１７の自由端部には導電性を備えた接触突部４を突出させて取り付けている。対向する板ばね１７、１７は予め曲げられていて自由端を固定端よりも電気接続器Ａの幅方向の中心側に位置させてあり、各板ばね１７、１７を配線ダクト３の長手方向に対して傾けてある。挿入部６の対向する側壁部には通孔１８が形成されて接触突部４を挿入部６の外部に突出することができるようにしている。
【００１１】
挿入部６には例えば円柱状の回転軸１４が回転自在に設けられ、回転軸１４に一体的に延出された操作ハンドル１５が器具側面に形成した長孔１６の範囲内において揺動操作可能に設けられている。回転軸１４には略小判型の押圧子１９が形成されていて回転軸１４の回転とともに押圧子１９が回転して対向する一対の板ばね１７、１７を離間させる方向に揺動させ、接触突部９を通孔１８より突出させることができるようにしている。又、回転軸１４には係止突部５を取付けていて回転軸１４の回転に伴って係止突部５を側部孔２０より突出させて係止突部５を配線ダクト３の係止溝１３に係止して配線ダクト３に対して電気接続器Ａを機械的に位置決めすることができるようにしている。尚、回転軸１４の断面形状は押圧子１９と同形状のものであってもよいものである。
【００１２】
電気接続器Ａにおいて、挿入部６とは反対側にコンセント部８を形成している。コンセント部８は円弧状の差込口７、７が対向していて、差込口７の内部に栓刃受け（図示せず）が配置され、栓刃受けに上記板ばね１７が電気的につながっている。
【００１３】
しかして、図１（ａ）及び図２に示すように、操作部９としての操作ハンドル１５を長孔１６の一端側に位置させて係止突部５及び接触突部４を挿入部６内に没入させた状態で、挿入部６を配線ダクト３の開口部２に挿入して電気接続器Ａを配線ダクト３の長手方向の任意の位置に移行させるのであり、その後、操作ハンドル１５を長孔１６に沿って操作させることで、回転軸１４を回転させて係止突部５を回転させて係止突部５を配線ダクト３の係止溝１３に係止させて電気接続器Ａを配線ダクト３に機械的に係止するのであり、又、回転軸１４の回転とともに押圧子１９を回転させて一対の板ばね１７、１７を揺動させて接触突部４を側壁部の通孔１８より突出させて接触突部４を配線ダクト３の導体１に電気的に接触させるものである。
【００１４】
このように、操作部９としての操作ハンドル１５を配線ダクト３の長手方向に隣接する電気接続器Ａが干渉せず、かつ、差込口７への差し込みプラグの差し込みを阻害しない器具位置、つまり、電気接続器Ａの外部側壁２２に設けることによって、操作ハンドル１５は、隣接の電気接続器Ａに干渉されることがなく、差し込みプラグが差込口７に差し込まれていてもこれに阻害されることがなく、電気接続器Ａ…を近接させた状態で取り付けることができるのであり、取り付けのための作業スペース、及び、取り付けスペースも小に抑えることができるのであり、又、操作ハンドル１５は、隣接の電気接続器Ａに干渉されることがなく、差し込みプラグが差込口７に差し込まれていてもこれに阻害されることがないことから、配線ダクト３の長手方向に近接させて取り付けた電気接続器Ａ…のうち任意のものを隣接のものに干渉されることなく取り外しことができ、取り外しのための作業スペースを小に抑えることができるのである。
【００１５】
更に、電気接続器Ａを配線ダクト３に取り付けた状態で、操作部９を配線ダクト３の長手方向に沿う器具側面に設けたことから、器具側面に設けた操作部９を容易に操作させることができ、電気接続器Ａの取り付け及び取り外しを、一層、容易におこなうことができるものである。
【００１６】
しかして、本発明においては、板ばね１７の各々は、固定端が互いに反対側に位置するとともに自由端側が器具の幅方向の中心側に位置するように傾いていることから、板ばね１７の自由端に取り付けた接触突部４を器具の幅方向の中心側に没入させておくことができ、接触突部４の突出長さを長くすることができ、したがって、押圧子１９にて板ばね１７を押圧して接触突部４を充分に突出させることができ、接触突部４を配線ダクト３の導体１に安定的に接触させることができ、信頼性を高めることができるものである。
【００１７】
【発明の効果】
請求項１においては、大略筒状をなし長手方向に延びる導体を内方に保持するとともに長手方向に連続する開口部を有した配線ダクトに取り付けられる配線ダクト用電気接続器であって、配線ダクトの開口部から挿入される挿入部と、配線ダクトの長手方向に延びるとともに一端を固定端、他端を自由端として変位可能なように挿入部の内方に対向配設される少なくとも一対の板ばねと、板ばねの自由端側に設けられ板ばねの変位により挿入部の内外に出没して配線ダクトの導体に接離する接触突部と、配線ダクトの開口部の縁部に係脱するように挿入部に設けられる係止突部と、挿入部から連設されて配線ダクトの外部に露出して電気器具が電気的に接続される接続器具部と、導体への接触突部の接離を操作可能なように接続器具部に設けられる操作部と、操作部の操作に従動して板ばねを押圧する押圧子とを備えた配線ダクト用電気接続器において、上記対向する板ばねの固定端を配線ダクトの長手方向において互いに反対側に位置させ、対向する板ばねの自由端を固定端よりも電気接続器の幅方向の中心側に位置させて各板ばねを配線ダクトの長手方向に対して傾けてあるから、つまり、板ばねの各々は、固定端が互いに反対側に位置するとともに自由端側が器具の幅方向の中心側に位置するように傾いていることから、板ばねの自由端に取り付けた接触突部を器具の幅方向の中心側に没入させておくことができ、接触突部の突出長さを長くすることができ、したがって、押圧子にて板ばねを押圧して接触突部を充分に突出させることができ、接触突部を配線ダクトの導体に安定的に接触させることができ、信頼性を高めることができるという利点がある。
【図面の簡単な説明】
【図１】本発明の実施の一形態を示し、（ａ）は取り付け操作前の概略断面図、（ｂ）は取り付け操作後の概略断面図である。
【図２】同上の取り付け状態を示し、（ａ）は概略断面図、（ｂ）は底面図である。
【図３】同上の取り外し操作状態を示し、（ａ）は概略断面図、（ｂ）は底面図である。
【図４】同上の配線ダクトを示し、（ａ）は長手方向の断面図、（ｂ）は横断面図である。
【図５】同上の作用を示し、（ａ）は取り付け前、（ｂ）は取り付け後の説明図である。
【図６】同上の電気接続器を示し、（ａ）は平面図、（ｂ）は正面図、（ｃ）は底面図である。
【図７】同上の電気接続器を示し、（ａ）は背面図、（ｂ）は側面図である。
【図８】同上の取り付け状態の底面図である。
【図９】従来例を示し、（ａ）は概略水平断面図、（ｂ）は概略縦断面図である。
【符号の説明】
１    導体
２    開口部
３    配線ダクト
４    接触突部
６    挿入部
８    接続器具部
９    操作部
１７  板ばね
１９  押圧子
【図１】
0004178750.tif 000002
【図２】
0004178750.tif 000003
【図３】
0004178750.tif 000004
【図４】
0004178750.tif 000005
【図５】
0004178750.tif 000006
【図６】
0004178750.tif 000007
【図７】
0004178750.tif 000008
【図８】
0004178750.tif 000009
【図９】
0004178750.tif 000010